(57)【要約】【課題】本発明は、大型のスピーカを実装した上で、表示ユニットの小型化を図った電子機器を得ることにある。【解決手段】電子機器１は、本体２と、この本体２に支持された表示ユニット３とを備える。表示ユニット３は、ハウジング１１と、スピーカ３１，３４と、スピーカボックス３２，３５とを有する。ハウジング１１は、表示画面２１ａが露出する前面１４、周面１８および背面１６を有する。スピーカ３１，３４は、表示画面２１ａの露出方向と同一方向を向けてハウジング１１内に取付けられ、かつ、ハウジング１１の前面１４から突出させて設けられる。スピーカボックス３２，３５は、ハウジング１１に設けられ、スピーカ３１，３４を収容する。スピーカボックス３２，３５は、スピーカ３１，３４と同一方向を向いてハウジング１１の外に開口する開口部４４を有する。【選択図】図１
2006332972.tif 000002
【特許請求の範囲】
【請求項１】
本体と、この本体に支持された表示ユニットとを備える電子機器であって、
上記表示ユニットは、
表示画面が露出する前面、周面および背面を有するハウジングと、
上記表示画面の露出方向と同一方向を向けて上記ハウジング内に取付けられるスピーカと、
上記ハウジングに設けられ、上記スピーカを収容するスピーカボックスと、を具備し、
上記スピーカは、上記ハウジングの前面から突出させて設けられるとともに、上記スピーカボックスは、上記スピーカと同一方向を向いて上記ハウジングの外に開口する開口部を有することを特徴とする電子機器。
【請求項２】
請求項１の記載において、
上記開口部は、上記ハウジングの前面と同一平面上にある上記スピーカボックスの壁面に形成されていることを特徴とする電子機器。
【請求項３】
請求項１の記載において、
上記本体は、上面を有し、
上記表示ユニットは、上記本体の上面を覆うように倒される閉じ位置と、上記本体の上面を露出させるように起立する開き位置との間で回動可能に上記本体に支持されることを特徴とする電子機器。
【請求項４】
請求項１または３の記載において、
上記表示ユニットは、上記ハウジング内に収容されるモジュールを有し、このモジュールは、上記スピーカボックスと上記背面とで囲まれる空間に位置することを特徴とする電子機器。
【請求項５】
請求項４の記載において、
上記モジュールは、インバータユニットであることを特徴とする電子機器。
【請求項６】
請求項１または３の記載において、
上記スピーカおよび上記開口部が上記表示画面の下方に位置するように、上記スピーカおよび上記スピーカボックスが上記ハウジングに設けられることを特徴とする電子機器。
【請求項７】
請求項１または３の記載において、
上記スピーカは、上記ハウジング内の幅方向の中央部に配置され、
上記開口部は、上記スピーカに比べて上記ハウジングの周面に近い端部に配置されることを特徴とする電子機器。
【請求項８】
請求項１または３の記載において、
上記開口部は、上記ハウジングの幅方向の中央部に配置され、
上記スピーカは、上記開口部に比べて上記ハウジングの周面に近い端部に配置されることを特徴とする電子機器。
【発明の詳細な説明】
【技術分野】
【０００１】
本発明は、スピーカを表示ユニット内に実装する電子機器に係り、特に大型のスピーカを実装した上で、表示ユニットの小型化を図った電子機器に関する。
【背景技術】
【０００２】
例えばポータブルコンピュータのような電子機器は、純粋な情報処理用の機器としてだけではなく、例えばテレビやＤＶＤ（Digital Versatile Disc）再生機のようなＡＶ（Audio and Visual）機器として利用されることも多い。  
特に近年では、装置の処理速度の向上や液晶の高品質化にともない、このような傾向が強くなってきている。そしてこのような状況下では、より高性能のスピーカが電子機器に搭載されることが要望され、スピーカによる音響効果の質が電子機器の品質の一翼を担うようになってきている。
【０００３】
また、音響効果をより高めるためには、スピーカは、表示ユニットの表示画面の近くに配置されることが望ましい。そこで、表示ユニットの前面にスピーカを設けた携帯型電子機器が提供されている（例えば特許文献１参照）。
【特許文献１】特開平８−７６８８４号公報（第２頁右欄、図１）
【発明の開示】
【発明が解決しようとする課題】
【０００４】
高音質を提供するスピーカは、大きなスピーカコーンを必要とする。またスピーカの高音質を引き出すためには、大きな容量のスピーカボックスを必要とする。そのため、この種のスピーカシステムは、大型化を避けることができない。したがって、大型のスピーカを表示ユニットに設ける場合、表示ユニット内の多くのスペースがスピーカやスピーカボックスにより占有されることになる。
【０００５】
一方、表示ユニット内には、表示ユニットの機能を実現するための種々のモジュール、例えばバックライト用のインバータ基板のようなモジュールが配置される。そして、このようなモジュールは、スピーカが取付けられた部位を外れたスペースに配置されることになる。
【０００６】
すなわち、表示ユニットに高性能のスピーカを搭載する場合は、表示ユニット内の容積をある程度大きくする必要がある。その結果、表示ユニットは厚さが厚くなるか、サイズが大きくなる。これは、電子機器の携帯性を損ねるため、好ましくない。
【０００７】
本発明の目的は、大型のスピーカを実装した上で、表示ユニットの小型化を図れる電子機器を得ることにある。
【課題を解決するための手段】
【０００８】
上記目的を達成するために、本発明の一つの形態に係る電子機器は、本体と、この本体に支持された表示ユニットとを備える。上記表示ユニットは、ハウジングと、スピーカと、スピーカボックスとを有する。ハウジングは、表示画面が露出する前面、周面および背面を有する。スピーカは、表示画面の露出方向と同一方向を向けてハウジング内に取付けられる。スピーカは、ハウジングの前面から突出させて設けられる。スピーカボックスは、ハウジングに設けられ、スピーカを収容する。スピーカボックスは、スピーカと同一方向を向いてハウジングの外に開口する開口部を有する。  
【発明の効果】
【０００９】
この構成によれば、大型のスピーカを実装した上で、表示ユニットの小型化を図れる電子機器を提供することが可能となる。
【発明を実施するための最良の形態】
【００１０】
以下に本発明の実施の形態を、ポータブルコンピュータに適用した図面に基づいて説明する。図１ないし図５は、本発明の第１の実施形態に係る電子機器としてのポータブルコンピュータ１を開示する。図１に示すように、ポータブルコンピュータ１は、本体２と、本体２に支持された表示ユニット３とを備えている。
【００１１】
本体２は、箱状の筐体４を備えている。筐体４は、上面としての上壁４ａ、周壁４ｂおよび図示しない底壁を有している。筐体４の上壁４ａは、キーボード５を支持している。本体２は、その上壁４ａの後端部に表示ユニット３を支持する一対の支持部６ａ，６ｂを有している。支持部６ａ，６ｂは、上壁４ａの後端部において、本体２の幅方向に離間して設けられているとともに、本体２の上壁４ａから上向きに突出している。支持部６ａ，６ｂは、内部に図示しないヒンジ金具を有する。
【００１２】
表示ユニット３は、ハウジング１１と、このハウジング１１に収容された液晶表示モジュール１２とを備える。  
ハウジング１１は、図２および図３に示すように、前面１４を有するモニターマスク１５と、背面１６を有するモニターカバー１７とを備える。モニターマスク１５とモニターカバー１７とが連結されることで、両者の側面がハウジング１１の周面１８を形成することになる。これにより、ハウジング１１は、前面１４、周面１８、および背面１６を有する箱状に形成されている。
【００１３】
ハウジング１１は、脚部１９を有する。脚部１９は、周面１８から本体２に向け突出するとともに、ハウジング１１の幅方向に沿って延びている。脚部１９は、本体２の支持部６ａ，６ｂの間に配置される。表示ユニット３は、支持部６ａ，６ｂ内のヒンジ金具を介して本体２に連結されている。このため、表示ユニット３は、本体２の上壁４ａを覆うように倒される閉じ位置と、この上壁４ａを露出させるように起立する開き位置との間で回動可能である。
【００１４】
図１に示すように、ハウジング１１の前面１４は、表示窓１４ａを有する。表示窓１４ａは、表示ユニット３を上記開き位置にした状態では、前面１４のなかで上部および左右両側部にハウジングとして必要最小幅のフレーム１４ｂを残し、かつ、下部にフレーム１４ｂより幅広な下部フレーム１４ｃを残して開口している。
【００１５】
液晶表示モジュール１２は、液晶表示パネル２１、インバータユニット２２、および図示しないバックライトを有する。液晶表示パネル２１は、表示画面２１ａを有する。表示画面２１ａは、ハウジング１１の前面１４の表示窓１４ａを通じて外部に露出している。表示ユニット３を開き位置に回動させた状態では、表示画面２１ａは、ポータブルコンピュータ１の使用者と向かい合うようになっている。
【００１６】
図５に示すように、インバータユニット２２は、ハウジング１１内の液晶表示パネル２１を外れた位置に取付けられている。具体的には、インバータユニット２２は、表示ユニット３を開き位置にしたときに、液晶表示パネル２１の下方に位置する下部フレーム１４ｃの後側において、ハウジング１１の背面１６に沿うようにして設けられている。インバータユニット２２は、バックライト用のインバータ基板である。
【００１７】
図１に示すように、表示ユニット３は、例えば一対のスピーカシステム２４，２５を備えている。右スピーカシステム２４は、表示ユニット３を開き位置にしたときに表示画面２１ａの下方になる位置であって、ハウジング１１の右側部位に設けられている。左スピーカシステム２５は、同様の状態で表示画面２１ａの下方になる位置であって、ハウジング１１の左側部位に設けられている。右スピーカシステム２４は、右スピーカ３１および右スピーカボックス３２を有する。左スピーカシステム２５は、左スピーカ３４および左スピーカボックス３５を有する。
【００１８】
右スピーカ３１と左スピーカ３４とは、ハウジング１１の前面１４の幅方向の中心を基点として、左右に線対称になるように配置されている。同様に、右スピーカボックス３２と左スピーカボックス３５とは、ハウジング１１の前面１４の幅方向の中心を基点として、左右に線対称になるように配置されている。
【００１９】
したがって、スピーカシステム内の構成要素の位置関係については、以下に右スピーカシステム２４について詳細に説明し、左スピーカシステム２５については、その説明を省略する。なお、左スピーカシステム２５内の各構成要素の位置関係は、右スピーカシステム２４についての説明を左右逆に読み替えたものである。
【００２０】
図１に示すように、左右のスピーカ３１，３４は、表示ユニット３を開き位置にした状態では、ハウジング１１の下部に位置するとともに、ハウジング１１の幅方向の中央部に互いに並べて配置されている。  
図３で示すように、スピーカボックス３２，３５は、それぞれ、第１のスピーカボックス４２、第２のスピーカボックス４３、および開口部４４を有する。スピーカ３１，３４は、それぞれ、第１のスピーカボックス４２に収容されている。具体的には、スピーカ３１，３４の前面が、第１のスピーカボックス４２の前壁４２ａの背面に接するように取付けられている。
【００２１】
第１のスピーカボックス４２は、ハウジング１１の前面１４から突出する前壁４２ａと、ハウジング１１内に位置する後壁４２ｂと、前壁４２ａの周縁と後壁４２ｂの周縁とをつなぐ周壁４２ｃとを備えている。すなわち、第１のスピーカボックス４２は、その略前半分が、ハウジング１１の前面１４から突出して設けられている。すなわち、スピーカ３１，３４は、ハウジング１１の前面１４から突出し、前面１４と段違いに設けられている。第１のスピーカボックス４２は、ハウジング１１の下部において、左右に横長の中空空間を有する。スピーカ３１，３４は、第１のスピーカボックス４２内において、ハウジング１１の幅方向の中央側に偏心して取付けられている。例えば、右スピーカ３１は、第１のスピーカボックス４２内の左側寄りの部位に取付けられている。
【００２２】
第１のスピーカボックス４２の前壁４２ａは、スピーカ３１，３４に対応する部位に開口する放音部４２ｄを有する。スピーカ３１，３４は、放音部４２ｄを介して外部に露出している。スピーカ３１，３４は、表示画面２１ａの露出方向と同一の方向を向いて取付けられている。放音部４２ｄには、ゴミなどの進入を防ぐ第１のメッシュ部４２ｅが取付けられている。
【００２３】
このように第１のスピーカボックス４２を配置することで、第１のスピーカボックス４２は、図３に示すように、ハウジング１１内においてインバータユニット２２の前側に配置される。換言すれば、スピーカボックス３２，３５と、ハウジング１１の背面１６との間に生じたスペースＳにインバータユニット２２が配置されることになる。
【００２４】
第２のスピーカボックス４３は、ハウジング１１内に設けられる。第２のスピーカボックスの前壁４３ａは、ハウジング１１の前面１４と同一平面にあり、前面１４の一部としても機能する。第２のスピーカボックス４３は、表示ユニット３を開き位置にした状態でハウジング１１の下部において、第１のスピーカボックス４２に対しハウジング１１の幅方向に隣り合っている。例えば、図３に示すように右スピーカボックス３２においては、第２のスピーカボックス４３は、第１のスピーカボックス４２の右隣に設けられている。
【００２５】
第２のスピーカボックス４３は、第１のスピーカボックス４２から、ハウジング１１の端部に開口する開口部４４の背後に亘って形成されている。図３および図５に示すように、第２のスピーカボックス４３は、第１のスピーカボックス４２のうちハウジング１１内に収容されている部位と連通している。
【００２６】
開口部４４は、表示ユニット３を開き位置にした状態でハウジング１１の下部であって、第２のスピーカボックス４３の前壁４３ａに設けられている。すなわち、開口部４４は、ハウジング１１の前面１４と同一平面状に設けられている。開口部４４は、ハウジング１１の前面１４の周縁に近い端部に設けられている。例えば、図２および図４に示すように、右スピーカボックス３２の開口部４４は、ハウジング１１の右端部に設けられている。
【００２７】
左右の開口部４４は、それぞれ、放音孔４５およびポート４６を有する。放音孔４５は、円形状であり、第２のスピーカボックス４３の前壁４３ａにおいてハウジング１１の外に開口している。すなわち、開口部４４は、スピーカ３１，３４と同一の方向を向いて開口している。放音孔４５には、ゴミなどの進入を防ぐ第２のメッシュ部４５ａが取付けられている。ポート４６は、放音孔４５の背後において管状に形成され、第２のスピーカボックス４３の前壁４３ａと一体に成形されている。ポート４６は、一端が放音孔４５に連通しており、他端が第２のスピーカボックス４３に連通している。
【００２８】
これにより、スピーカ３１，３４の背後に発生する低音波は、第１および第２のスピーカボックス４２，４３から、開口部４４のポート４６および放音孔４５を通じて、使用者に対して出力される。すなわち、右スピーカ３１および右スピーカボックス３２により一つのバスレフ構造を構成している。同様に、左スピーカ３４および左スピーカボックス３５によりバスレフ構造を構成している。
【００２９】
本体２の上壁４ａは、一対の凹部４８ａ，４８ｂを有している。凹部４８ａ，４８ｂは、表示ユニット３を閉じ位置にした時に、表示ユニット３の前面１４から突出するスピーカボックス３２，３５を収容するためのものである。
【００３０】
このような構成のポータブルコンピュータ１によると、スピーカ３１，３４が表示ユニット３に取付けられている。このように、表示画面２１ａとスピーカ３１，３４とを近くに配置することで、画像と音のいわゆる定位性が向上し、表示画面２１ａを見る者に臨場感を与えることができる。
【００３１】
特に本実施形態によると、低音出力用の開口部４４は、スピーカ３１，３４と段違いに配置されているものの、スピーカ３１，３４と開口部４４は共に、使用者を向くように設けられている。バスレフ構造は、スピーカの方向と低音出力用の開口部が同一方向を向くことで、その効果が非常に高くなる。そのため、さらに音響効果の向上を図ったポータブルコンピュータ１を得ることができる。
【００３２】
スピーカ３１，３４および低音出力用の開口部４４は、本体２に回動自在に支持された表示ユニット３に設けられている。したがって、使用者は、表示ユニット３の開閉角を調整することで、音の方向性を変化させることができ、より自分好みの音質を実現することができる。
【００３３】
スピーカ３１，３４をハウジング１１の前面１４から突出させることで、第１のスピーカボックス４２とハウジング１１の背面１６との間にスペースＳを確保することができる。このスペースＳに、例えばインバータユニット２２のような表示ユニット３を構成する他のモジュールを収容することで、スピーカ３１、３４とモジュールを重ねて配置することが可能となる。したがって、表示ユニット３のサイズの縮小を図ることができる。また、スピーカ３１，３４をあえてハウジング１１から突出させることで、ハウジング１１内に必要なスピーカ用のスペースを縮小でき、ハウジング１１自体の薄型化を図ることができる。
【００３４】
さらに述べると、スピーカ３１，３４自体をハウジング１１から突出させることで、ある程度大きな高性能のスピーカを採用しても、ハウジング１１内に他のモジュールを収容するスペースが確保できる。これにより、大型のスピーカ３１，３４を取付けた場合でも、表示ユニット３の小型化を図ることができる。特に、スピーカ３１，３４を、例えばインバータユニット２２のようなモジュールと前後して配置し、表示ユニット３内の大形モジュールの配置を集中することで、表示ユニット３の小型化をさらに図ることができる。
【００３５】
特に、スピーカ３１，３４をハウジング１１の前面１４から突出させる一方、開口部４４をハウジング１１の前面１４と同一平面上に設けることで、ハウジング１１から突出する部分を小さくすることができ、表示ユニット３の小型化にさらに寄与することができる。
【００３６】
インバータユニット２２は、通常、表示ユニット３の下部に設けられている。このインバータユニット２２とスピーカ３１，３４とを前後に重ねて配置することで、表示ユニット３内の大形のモジュールを表示ユニット３の下部に集中させることが可能である。そのため、表示ユニット３の前面１４においては、上部および左右両側部のぎりぎりまで表示窓１４ａを開口させることが可能となる。すなわち、ハウジング１１の前面１４の上部および両側部のフレーム１４ｂを細くすることができ、表示画面２１ａの大型化が可能となる。
【００３７】
また、上部および左右両側部のぎりぎりまで表示窓１４ａを開口させることで、ハウジング１１の上部や左右両側部にモジュールを実装した場合に比べて、すっきりとした見栄えの良いポータブルコンピュータ１を得ることができる。また、スピーカ３１，３４をハウジング１１の下部に配置することで、本体２からスピーカ３１，３４までの距離を短くすることができ、本体２に収容されるモジュールとスピーカ３１，３４とを接続するケーブルを短縮することができる。
【００３８】
本実施形態では、スピーカ３１，３４は、ハウジング１１の前面１４の下部において、中央部に一括して配置されている。これにより、例えスピーカ３１，３４が、ハウジング１１の前面１４から突出していても、一箇所に集中して配置されていることで視覚的に小さく見え、すっきりとした印象を与えることができる。
【００３９】
次に本発明の第２の実施形態に係る電子機器としてのポータブルコンピュータ１ａについて、図６および図７を参照して説明する。なお第１の実施形態に係るポータブルコンピュータ１と同じ機能を有する構成は、同一の符号を付してその説明を省略する。
【００４０】
図６に示すように、ポータブルコンピュータ１ａは、例えば一対のスピーカシステム５１，５２を備えている。右スピーカシステム５１は、表示ユニット３を開き位置にしたときに表示画面２１ａの下方になる位置であって、ハウジング１１の右側部位に設けられている。左スピーカシステム５２は、同様の状態で表示画面２１ａの下方になる位置であって、ハウジング１１の左側部位に設けられている。右スピーカシステム５１は、右スピーカ３１および右スピーカボックス３２を有する。左スピーカシステム５２は、左スピーカ３４および左スピーカボックス３５を有する。
【００４１】
右スピーカ３１と左スピーカ３４とは、ハウジング１１の前面１４の幅方向の中心を基点として、左右に線対称になるように配置されている。同様に、右スピーカボックス３２と左スピーカボックス３５とは、ハウジング１１の前面１４の幅方向の中心を基点として、左右に線対称になるように配置されている。
【００４２】
したがって、スピーカシステム内の構成要素の位置関係については、以下に右スピーカシステム５１について詳細に説明し、左スピーカシステム５２については、その説明を省略する。なお、左スピーカシステム５２内の構成要素の位置関係は、右スピーカシステム５１についての説明を左右逆に読み替えたものである。
【００４３】
左右のスピーカ３１，３４は、それぞれ左右両側に離れて、ハウジング１１内の周面に近い端部に配置されている。例えば、右スピーカ３１は、ハウジング１１内において右側の周面に近い端部に取付けられる。
【００４４】
スピーカ３１，３４は、第１のスピーカボックス４２内において、ハウジング１１の幅方向の周縁側に偏心して取付けられている。例えば、図７に示すように、右スピーカ３１は、第１のスピーカボックス４２内の右側寄りの部位に取付けられている。
【００４５】
第２のスピーカボックス４３は、第１のスピーカボックス４２に対しハウジング１１の幅方向に隣り合っている。例えば、右スピーカボックス３２においては、第２のスピーカボックス４３は、第１のスピーカボックス４２の左隣に設けられている。例えば、右スピーカボックス３２の第２のスピーカボックス４３は、第１のスピーカボックス４２から、ハウジング１１の中央部に開口する開口部４４の背後に亘って形成されている。
【００４６】
このように第２のスピーカボックス４３を配置することで、第２のスピーカボックス４３は、ハウジング１１内においてインバータユニット２２の前側に配置される。換言すれば、スピーカボックス３２，３５と、ハウジング１１の背面１６との間に生じたスペースＳにインバータユニット２２が配置されることになる。
【００４７】
左右の開口部４４は、それぞれ、表示ユニット３を開き位置にした状態でハウジング１１の下部であって、ハウジング１１の前面１４の中央部に互いに並んで設けられている。
【００４８】
このような構成のポータブルコンピュータ１ａによっても、インバータユニット２２を第２のスピーカボックス４３の後側に配置し、かつ、第１のスピーカボックス４２の後側に他のモジュールを配置するが可能となる。これにより、第１の実施形態と同様に、表示ユニットの小型化を図ることができる。また、第１の実施形態と同様の理由により、音響効果の向上を図ったポータブルコンピュータを得ることができる。
【００４９】
本実施形態では、スピーカ３１、３４が左右の両側部に離れて配置することから、一対のスピーカ３１，３４によるステレオ効果を向上させることができる。
【００５０】
なお、以上本発明をポータブルコンピュータに適用した第１および第２の実施形態について説明したが、本発明の適用範囲はこれに限定されない。すなわち、例えばポータブルタイプのＤＶＤプレイヤーであっても良いし、携帯電話に適用しても良い。さらに近年では、ポータブルコンピュータ以外のいわゆるデスクトップタイプのコンピュータにおいても表示ユニットの薄型化が進んでいるが、本発明はこのデスクトップタイプのコンピュータに適用しても良い。
【００５１】
開口部４４は、第１のスピーカボックス４２の前面４２ａに開口していてもよい。  
スピーカと低音出力用の開口部との位置関係は、表示ユニットの前面であればその場所は特に表示画面の下部に限定されず、例えば表示画面の上部や左右の両側部に設けてもよい。
【００５２】
スピーカと前後に重ねて設けられるモジュールは、インバータユニットである必要はなく、表示ユニット内に配置されるモジュールであればその種類を問わない。ただし、上述したように、インバータユニットのような大形のモジュールと重ねて配置することで、表示ユニットの小型化に効果的に寄与することができる。
【図面の簡単な説明】
【００５３】
【図１】本発明の第１の実施形態に係るポータブルコンピュータの斜視図。
【図２】図１中に示された右スピーカシステムを拡大して示す斜視図。
【図３】図２中に示された右スピーカシステムのＡ−Ａ線に沿う断面図。
【図４】図２中に示された右スピーカシステムの正面図。
【図５】図３中に示された右スピーカシステムのＢ−Ｂ線に沿う断面図。
【図６】本発明の第２の実施形態に係るポータブルコンピュータの斜視図。
【図７】図６中に示された右スピーカシステムのＣ−Ｃ線に沿う断面図。
【符号の説明】
【００５４】
Ｓ…スペース、１…ポータブルコンピュータ、２…本体、３…表示ユニット、４…筐体、４ａ…上壁、１１…ハウジング、１４…前面、１６…背面、１８…周面、２１ａ…表示画面、２２…インバータユニット、３１…右スピーカ、３２…右スピーカボックス、３４…左スピーカ、３５…左スピーカボックス、４２…第１のスピーカボックス、４２ｄ…放音部、４３…第２のスピーカボックス、４３ａ・・・前壁、４４・・・開口部、４５…放音孔、４６…ポート。
【図１】
2006332972.tif 000003
【図２】
2006332972.tif 000004
【図３】
2006332972.tif 000005
【図４】
2006332972.tif 000006
【図５】
2006332972.tif 000007
【図６】
2006332972.tif 000008
【図７】
2006332972.tif 000009